(57)【要約】      （修正有）【課題】ビデオカメラに三脚を装着際、テープ交換時等に開閉カバーが開閉不可能となる型式のビデオカメラにおいて、三脚の装着時であっても開閉カバーが支障なく開閉でき、テープ交換時の操作をワンタッチ操作で可能とする。【解決手段】ビデオカメラ底面１３に、三脚２０の付属品であるクイックシュー３を取付ネジ４にて螺着する際、硬質厚板からなる矩形形状等のアダプタ２をビデオカメラ底面１３と、クイックシュー３の表面１４との間隙に挿入挟持し締着すれば、アダプタ２の厚さの間隔を隔ててビデオカメラ１と三脚２０を係着する。アダプタ２には切り欠き部１５を穿ち、ビデオカメラの開閉カバー５の開閉動作に支障のないようにアダプタ２の厚さ、切り欠き部１５の幅以上の間隙を設ける。【選択図】図１
2008116893.tif 000002
【特許請求の範囲】
【請求項１】
従来のビデオカメラのうち、三脚を装着した時にテープを交換するための開閉カバー開閉が不可能となる機種について、構造上の不具合を取り除き、容易に又簡単な作業手順でテープの交換ができるよう、ビデオカメラと三脚との係着に次の如き手段を用いる。
１．やや弾力のある硬質材も含む硬質厚板（以下、アダプタ２とする。）からなるアダプタ２の矩形形状等の１辺に矩形状の切り欠き部１５と、ネジ４が貫通する位置に小孔７を１カ所を穿ち、
２．更にビデオカメラ１の底面１３に接するアダプタ２の面に、小径の短円柱形ピン１０を１個立設し、該立設位置の裏面には、クイックシュー３の表面１４に立設してある短円柱形ピン１２（短円柱形ピン１０と同形）が嵌入できる穴１１を穿ち、
３．ビデオカメラの底面１３と対面するクイックシュー３の表面１４との間隙はアダプタ２の厚さαとなり、一方、切り欠き部１５の開口方向が開閉カバーの開閉方向となるよう平面状に挿入し、ビデオカメラの底面１３に設けてあるネジ穴６に、別途作成のネジ４を螺入することによって、ビデオカメラ底面１３とクイックシュー３の表面１４との間隙に、アダプタ２を狭持して締着することを特徴とするビデオカメラと三脚との係着手段。
【発明の詳細な説明】
【技術分野】  本発明は、ビデオカメラに三脚を装着した場合、ビデオカメラ用テープ（以下、テープとする。）の取り出し挿入が困難となる型式のビデオカメラを対象に、三脚を装着中であってもテープの取替作業が容易に実施できるための改変技術に関する。
【背景技術】  従来、ビデオカメラ撮影時において、手振れ防止のため又はビデオカメラの方向を固定して定点撮影を行う場合等には、ビデオカメラに三脚を装着する。
しかしながら、市販されている多数機種のビデオカメラのうち、三脚を装着することによってビデオカメラの機能を阻害する不具合が生じている機種がある。詳しくは、三脚を装着して撮影中、使用中テープの交換が必要になった場合、先ずビデオカメラのカバーを開くことになるが、三脚がカバーの開動作範囲内に装着され支障となるため、カバーは開動作しない。従って三脚を取り外した状態にして初めてカバーの開閉が可能であり、テープを交換することができる。
このように三脚の装着中は、テープの交換ができず、テープを交換の都度三脚を脱着しなければならない極めて重大な欠陥のあるビデオカメラがある。
（特許文献１）
類似先願の文献としては、特開２０００−２４１８７２号公報がある。ただし、該公報においては、ビデオカメラに装着する三脚の改造技術ではあるが、改造箇所も異なり、発明の目的も異なって全く別思想の三脚改造技術の文献である。
【発明の開示】
【発明が解決しようとする課題】
【０００１】  本発明は、上記に記載のとおり従来のビデオカメラのうち、三脚を装着した時にテープを交換するための開閉カバーの開閉が不可能となる機種について、構造上の不具合を取り除き、容易に又簡単な作業手順でテープの交換ができるよう、ビデオカメラと三脚との係着手段の改変を課題とするものである。
【課題を解決するための手段】
【０００２】  本発明の、ビデオカメラと三脚との係着において生ずる、上記の課題を解決するため、次の如き手段を用いる。
１．  やや弾力のある硬質材も含む硬質厚板（以下、アダプタ２とする。）からなるアダプタ２の矩形形状等の長辺二辺のうちの一辺に矩形状の切り欠き部１５を穿ち、
２．  該アダプタ２にはネジ４が貫通する位置に小孔７を１個穿ち、更に該アダプタ２がビデオカメラ１の底面１３に接面する側に、小径の短円柱形ピン１０を１個立設し、立設位置の裏面に該短円柱形ピン１０と同形の短円柱形ピン１２が嵌入できる穴１１を穿つ。該短円柱形ピン１２はクイックシュー３の表面１４に１個設ける。
３．  アダプタ２がなければ、ビデオカメラの底面１３と対面するクイックシュー３の表面１４との間隙がアダプタ２の厚さαとなるよう、一方、切り欠き部１５の開口方向が開閉カバーの開閉方向になるよう平面状に挿入し、ビデオカメラの底面１３のネジ穴６に、アダプタ２の厚さαの長さを軸長に加えて別途作成したネジ４を螺入し、ビデオカメラの底面１３とクイックシュー３の表面１４との間隙にアダプタ２を挟持して締着することを特徴とするビデオカメラと三脚との係着手段を用いる。
【発明を実施するための最良の形態】
【０００３】  以下、本発明のビデオカメラと三脚との係着手段の実施例を添付図面により、説明する。
図１は本発明の全概要を示す立体分解図であって、ビデオカメラ１の底面１３（以下、底面１３とする。）と、三脚２０の付属品クイックシュー３（以下、クイックシュー３とする。）の表面１４との間に間隙がアダプタ２の厚さαとなるよう、一方、切り欠き部１５の開口方向が開閉カバーの開閉方向となるよう平面状に挿入し、ビデオカメラの底面１３のネジ穴６にネジ４を螺入し、ビデオカメラの底面１３とクイックシュー３の表面１４との間隙にアダプタ２を挟持して締着するよう平面状に挿入し、クイックシュー３に穿った孔８及びアダプタ２に穿った孔７を貫通し、底面１３のクイックシュー取付ネジ穴６（以下、ネジ穴６とする。）に螺入して底面１３と、クイックシュー３の表面１４の間にアダプタ２を締着する。【０００４】  現在使用中の一般ビデオカメラについてはアダプタ２がなく、底面１３とクイックシュー３の表面１４とが間隙なく密着しているため、底面１３とフラットの位置にあるビデオカメラ１の開閉カバー５（以下、開閉カバー５とする。）の下部表面部分が、クイックシュー３の表面１４によって押着される。したがって、開閉カバー５はクイックシュー３が除かれない限り、開動作をすることができない。【０００５】  ここで、開閉カバー５の開閉動作を図４及び図５により説明すれば、図４はファインダ側から視た一部断面図であって、クイックシュー３が底面１３に密着している状態を表示したものである。カバー５の閉位置は実線にて表示し、開閉カバー５の先端１７も閉位置にある。いま開閉カバー５が開動作を始め順次５’、５”、５’”と二点鎖線で表示した位置に移動したと仮定すれば、開閉カバー５の先端１７の動作位置も一点鎖線で描く放物線１８上を順次１７’、１７”、１７’”と移動することになる。しかしクイックシュー３か底面１３に密着して、（０００４）にて説明したように、開閉カバー５とともに先端１７はクイックシュー３の表面１４によって押着され動作ができない状態であるため、この放物線１８は描かれない。【０００６】  本明細書の段落（技術分野）及び段落（背景技術）で述べた如く、ビデオカメラに三脚を装着した場合、開閉カバー５は開動作ができず、従ってテープの交換が不可能となる不具合の原因は段落（０００５）で説明したとおりである。【０００７】  図５においては、図４と同様ファインダ側から視た一部断面図の開閉カバー５の開閉動作説明図である。図４にて説明した開閉カバー５の先端１７が放物線１８を描けるように、言い換えれば開閉カバー５の開閉動作を可能とするため、厚さαのアダプタ２を挿入した状態を示す。アダプタ２の挿入は、図１にて示すように、切り欠き部１５の開口方向は開閉カバー５が開閉する方向とし、厚さα方向が底面１３とクイックシュー表面１４との間隙となるようにする。【０００８】  アダプタ２の形状は図２及び図３に示す。アダプタ２は厚さαの矩形形状等で辺の１辺に切り欠き部１５（厚さα×奥行き×幅θ）を穿つ。ビデオカメラの底面１３に接面するアダプタ２の面には、短円筒形ピン１０をビデオカメラとの辷り回転防止用として立設し、短円筒形ピン１０のアダプタ２裏面位置には、平面１４に立設した短円筒形ピン１２を嵌合する穴１１を穿ち、該短円筒ピン１���を嵌合すれば、平面１４とアダプタ２との辷り回転を防止する。又、底面１３とアダプタ２とクイックシュー３とを締着するためのネジ４’を貫通させる孔７を設ける。【０００９】  再び、図５に戻り説明を続ければ、アダプタ２は底面１３と表面１４との間に挟持されている状態を示したもので厚さα、幅β（太線で表示。）の断面で表示した。ただし、アダプタ２の全幅はγであり、βで表示した幅はアダプタ２の全幅γより切り欠き部１５の奥行きδを除いた幅（図２におけるＡ−Ａ’より視た幅と同一。）であって全幅γの表示ではない。【００１０】  アダプタ２に切り欠き部１５を穿った理由としては、図５にて示す開閉カバー５の先端１７が放物線１８を描いて移動するスペースの確保にある。アダプタ２のαの厚みが底面１３と表面１４との間に間隙αを作り、該間隙αの間を開閉カバー５の先端１７が、１７’、１７”、１７’”と放物線１８を描くことに支障がなくなる。更に開閉カバー５の幅より切り欠き部１５の幅θを長くすれば、開閉カバー５の開閉動作は不具合がなくなり、三脚２０がビデオカメラ１に装着されていても何ら問題がない。【００１１】  アダプタ２の素材については、硬質材を基本とするが、全くの硬質材のみに限定せず、やや弾力のある素材を使用する場合もあり得る。例えば、三脚を固定した場所が大地であっても何かの台上であっても、三脚を伝わって下部からの衝撃或いは温度をカメラに直接伝達することなく、幾分かの減衰を考慮する場合等である。
【発明の効果】
１．三脚をビデオカメラ本体に装着して撮影中、テープ余長が終了した場合等テープ交換を行う場合であっても三脚を装着したまま、開閉カバーを開閉してテープを脱着し、撮影を継続することが可能となった。
２．本発明を実施しない旧係着手段においては、テープ余長が終了した場合等、撮影を中断し、一旦三脚をビデオカメラ本体より取り外してからでないと開閉カバーの開閉は不可能であった。従って、三脚を取り外した後、開閉カバーを開き、テープの交換作業を行った後開閉カバーを閉じ、三脚を再び装着する作業が必要であり、非能率であった。本発明を実施すれば、前記旧係着手段における作業工程のうち、三脚の脱着時間が省略できる。すなわち開閉カバーを開き、テープを交換し、開閉カバーを閉じるための交換作業に要する時間及び作業は極めて短時間の準備時間で済む。このように、本発明の実施は、撮影中断時間を僅かな時間に短縮することが可能となる。
３．撮影中断時間が短縮されることによって、シャッターチャンスを逃がすというミスが減少し、快適な撮影活動が期待できる。
【図面の簡単な説明】
【図１】  本発明の分解斜視図。
【図２】  アダプタの形状及び作成ネジ図。
【図３】  アダプタ切り欠き部の表示図。（ハッチング部分。）
【図４】  アダプタを挟着していない場合の開閉カバーの動作説明図。
【図５】  アダプタを挟着した場合の開閉カバーの動作説明図。
【図６】  開閉カバーを開いた場合の斜視図。（参考図）
【図７】  開閉カバーを開いた場合をファインダー側より視た側面図。（参考図）
【図８】  ビデオカメラ本体の底面図。（参考図）
【図９】  開閉カバーを開いた場合をビデオカメラ本体の底面から視た図。（参考図）
【符号の簡単な説明】
１                    ビデオカメラ本体。
２                    アダプタ。
３                    クイックシュー。
４                    三脚付属品ネジ。
４’                  別途作成作成ネジ。
５                    ビデオカメラ本体の開閉カバー。
５’５”５’”        開閉カバーの開動作途中における５の位置（一点鎖線で表示）。
６                    三脚付属品ネジ及び別途作成ネジの螺着用ネジ穴。
７                    別途作成ネジの表裏貫通孔。
８                    ネジ４及び別途作成ネジを貫通させる孔。
９                    小径の短円柱形ピン嵌入穴。
１０                  アダプタ表面の小径の短円柱形ピン。
１１                  クイックシューに立設の短円柱形ピン用穴。
１２                  クイックシューに立設の短円柱形ピン。
１３                  ビデオカメラ本体の底面。
１４                  クイックシューの表面。
１５                  アダプタの切り欠き部。
１６                  テープ。
１７                  開閉カバー５の先端。
１７’１７”１７’”  放物線上において開閉カバーの開動作途中における１７の位置（                      一点鎖線上に位置表示）。
１８                  １７が動作時に描く放物線。
１９                  三脚の上辺の一部分。
２０                  三脚。
２１                  テープカセット。
２２
【図１】
2008116893.tif 000003
【図２】
2008116893.tif 000004
【図３】
2008116893.tif 000005
【図４】
2008116893.tif 000006
【図５】
2008116893.tif 000007
【図６】
2008116893.tif 000008
【図７】
2008116893.tif 000009
【図８】
2008116893.tif 000010
【図９】
2008116893.tif 000011